(57)【要約】【課題】遮光調整や通風調整を可能にし、かつ洗濯によって簡単にクリーンに保つことを可能にする。【解決手段】複数の透孔２が穿設された無端状シート１と、無端状シート１の内側に挿入されて、該無端状シート１を支持しながら回転操作される回転部材３とを設け、回転部材３の回転操作により、一定間隔をおいて相対移動する前後方向の各無端状シート１ａ、１ｂにおける透孔２の重なり量を、可変とする。【選択図】図１
2006063768.tif 000002
【特許請求の範囲】
【請求項１】
複数の透孔が穿設された無端状シートと、
無端状シートの内側に挿入されて、該無端状シートを支持しながら回転操作される回転部材とを備え、
回転部材の回転操作により、一定間隔をおいて相対移動する前後方向の各無端状シートに形成された透孔の重なり量を可変とすることを特徴とする無端状シートブラインド。
【請求項２】
無端状シートは、回転部材の少なくとも一箇所に固定されていることを特徴とする請求項１に記載の無端状シートブラインド。
【請求項３】
相対移動する前後方向の各無端状シートの一方を、他方に対し一定間隔をおいて近接させるガイドロールを設けたことを特徴とする請求項１に記載の無端状シートブラインド。
【請求項４】
回転部材に垂下支持された無端状シート下部の内側に、前後方向の各無端状シートの間隔を設定する回転棒が挿入され、無端状シートの両側に突出する回転棒の両端部におもりが吊持されていることを特徴とする請求項１に記載の無端状シートブラインド。
【発明の詳細な説明】
【技術分野】
【０００１】  本発明は、ガラスの窓枠等に取り付けられて遮光や通風の調節を行えるように構成された無端状シートブラインドに関する。
【背景技術】
【０００２】  従来から、ガラス窓等に取り付けられて遮光や通風の調整を行うものにブレード式（スラット式）ブラインドが広く利用されている。このブレード式ブラインドは、所定幅および所定長さを持つ金属製または樹脂製の複数枚の帯状ブレードを、吊紐に一定の間隔をおいて水平支持させたものからなる。【０００３】  このブレード式ブラインドでは、吊紐などを昇降操作することにより、前記複数枚のブレードを、ガラス窓を通して視界が得られるように上昇させたり、視界を妨げるように下降させたりすることができる。【０００４】  また、ブレード式ブラインドには別途配置されたブレード角度調整棒またはブレード角度調整紐などが設けられ、これらの操作によって、ブレードの角度を水平にしたり、斜めにしたりするなど任意に調整することができるようになっている。【０００５】  従って、その角度調整によって、ガラス窓を通しての外光の入射量や各ブレード間を通しての通風量、視界の大きさなどの各調整を任意に実施することができる（例えば、特許文献１参照）。
【特許文献１】特開平５−１４１１６１号公報
【発明の開示】
【発明が解決しようとする課題】
【０００６】  しかしながら、従来のブレード式ブラインドにあっては、ガラスの窓枠に取り付けられて長期間（例えば一年間）に亘って用いられるうちに、各ブレードの上面に塵埃が付着し、この塵埃が掃除機の吸引力を使って除去できないほど堆積してしまうこととなる。一方、各ブレードに塵埃が堆積しないよう毎日掃除機で掃除をする作業は、ブレード数が多いこともあって極めて煩わしい。【０００７】  また、定期的に洗剤を併用してブラシで水洗いにすることもできるが、各ブレードにはこれに設けられた吊り紐の挿入孔が設けられているため、この吊り紐が水洗い作業の邪魔になる。従って、このブレードの水洗いの作業も極めて煩わしいという不都合があった。【０００８】  本発明は、このような従来の問題点を解決するためになされたものであり、無端状シートとこの無端状シートの回転部材とを組み合わせた簡単な構成とすることにより、所期の遮光調整や通風調整を可能にし、かつ洗濯によって簡単にクリーンに保つことができる無端状シートブラインドを得ることを目的とする。
【課題を解決するための手段】
【０００９】  前記目的達成のために、請求項１の発明にかかる無端状シートブラインドは、複数の透孔が穿設された無端状シートと、無端状シートの内側に挿入されて、該無端状シートを支持しながら回転操作される回転部材とを備え、回転部材の回転操作により、一定間隔をおいて相対移動する前後方向の各無端状シートにおける透孔の重なり量を可変にしたことを特徴とする。【００１０】  これにより、前後方向の各無端状シートの透孔が重なるように回転部材を回転操作することにより、これらの透孔を通して外光を室内に必要十分な量採り入れることができ、一方、前記各透孔が互いに重ならないように回転部材を回転操作することで、外光が室内に入るのを抑制または阻止する（遮光する）ことができる。【００１１】  また、請求項２の発明にかかる無端状シートは、回転部材の少なくとも一箇所に固定されていることを特徴とする。【００１２】  これにより、回転部材を一方向に所定量回転操作し続けることで、前後方向の各無端状シートを一緒に回転部材上に巻き上げることができ、従って、窓ガラスのみを通しての採光が可能となる。【００１３】  また、請求項３の発明にかかる無端状シートは、相対移動する前後方向の各無端状シートの一方を、他方に対し一定間隔をおいて近接させるガイドロールを設けたことを特徴とする。【００１４】  これにより、前後方向の各無端状シートを、互いに接触させることなく近接して相対移動可能にし、各透孔の重なり度合いの調整によって、前記遮光や透孔を確実に実施することができる。【００１５】  また、請求項４の発明にかかる無端状シートは、回転部材に垂下支持された無端状シート下部の内側に、前後方向の各無端状シートの間隔を設定する回転棒が挿入され、無端状シートの両側に突出する回転棒の両端部におもりが吊持されていることを特徴とする。【００１６】  これにより、無端状シートを常に安定した緊張状態に維持し、互いに反対方向に移動する前後方向の各無端状シートが接触するのを防止できる。従って、遮光または透光のための無端状シートの移動がスムースとなる。
【発明の効果】
【００１７】  本発明によれば、回転部材を所定の角度領域内で正方向または逆方向に回動操作することにより、一定間隔をおいて相対移動する各無端状シートの各透孔相互の重なり度合いを、連続的に変化させることができる。
これにより、回転部材の回転操作のみで両透孔を通過する光の量を変化させることができ、最適の遮光効果、透光効果を任意に得ることができる。
また、このような効果を極めて簡単かつローコストな構成にて実現できるとともに、無端状シートを回転部材から外して簡単に洗濯でき、常にクリーンなシートブラインドとして窓を飾ることもできる。
【発明を実施するための最良の形態】
【００１８】  以下に、本発明の実施の一形態を図面について説明する。
図１は本発明にかかる無端状シートブラインドの基本概念を示す構成図である。図１において、この無端状シートブラインドは、複数の透孔２がパンチングにより穿設された無端状シート１と、この無端状シート１の内側に挿入されて、無端状シート１を、図示のように支持しながら回転させる回転部材３とを備えている。【００１９】  この無端状シート１として、紙や合成樹脂のシートのほか、ポリエステルなどの合成繊維や綿などの天然繊維の生地が用いられる。なお、前記透孔２の形状は、図示のような円形のほか、三角形、方形、楕円形、星形などの任意の形状を自由に選ぶことができ、これによりシートブラインドとして従来にないデザイン的効果を具現することもできる。【００２０】  また、この無端状シート１は、回転部材３により支持（支承）される部位以外では下方に垂下され、前後方向に対向する各無端状シート１ａ、１ｂは互いに一定の間隔を置いて互いに逆方向に移動可能となっている。【００２１】  従って、回転部材２を一方向または逆方向に自動または手動操作によって所定量回転させることにより、前後方向に対向する各無端状シート１ａ、１ｂ上の透孔２のうち互いに対応するものどうしが、一部または全部について重なり合うことになる。【００２２】  従って、対向する各透孔２が同一水平面内で重なり合うときには、室外からの外来光がこれらの透孔２を通して無端状シート１の一方向から他方へ透過する。
一方、各透孔２が一部で重なり合うときには外来光の透過量が減り、全く重なり合わない場合には、前方の無端状シート１ａ上の透孔２および後方の無端状シート１ｂ上の透孔２は、それぞれ対向する各無端状シート１ｂ、１ａの透孔２がない部分によって塞がれ、遮光状態となる。【００２３】  図２は本発明の無端状シートブラインドをより具体的に示す斜視図である。この無端状シートブラインドでは、回転部材３の一端にスプロケット４が連設され、このスプロケット４には、これを介して回転部材３を回転操作するためのチェーンまたは紐などの回転操作部材５が懸架されている。
従って、この回転操作部材５を手で所定量だけ正方向または逆方向に回転操作することで、回転部材３も同方向に回転し、無端状シート２を昇降させることができる。【００２４】  また、回転部材３を回転自在に支持する固定軸部６の両端には、略コ字状のローラ支持部材７の両端が取り付けられ、このローラ支持部材７にはガイドロール８が回転自在に支承されている。【００２５】  このガイドロール８は、全体として回転部材３に対し平行で、かつその全長に略等しい長さを持ち、回転部材３に支持された、例えば無端状シート１のうち前方側の無端状シート１ａを、後方側の無端状シート１ｂに対して小間隙をおいて、図３に示すように近接するようにガイドして（押して）いる。【００２６】  無端状シート１は、回転部材３とともに回転操作されるが、これらは相対回転することはない。つまり、無端状シート１は回転部材３に対してこの回転部材３外周の円周方向の２箇所Ｐ１、Ｐ２点で固定されている。【００２７】  従って、回転部材３の回転操作によって、無端状シート１も同時にその回転部材３の回転方向に回転する。そして、この回転部材３の所定角度の回転によって、前方向および後方向の無端状シート１ａ、１ｂに設けられた各透孔が、同一水平面内で互いに重なり合ったり、位置ずれしたりして、前記のような外来光の透過（透光）、遮蔽（遮光）を選択的に行うことになる。
無端状シート１に設けられる透孔２の配置、数、形状、サイズなどは、回転部材３の外径寸法、長さに応じて任意に設定することができる。【００２８】  また、無端状シート１は回転部材３に対してＰ１点、Ｐ２点で固定されているため、回転部材３を、図４に示すように、矢印Ｋ方向に複数回回転操作することによって、無端状シート１の全体をガラス窓などの窓枠の上方へ巻き上げることができる。なお、無端状シート１は、回転部材３に対し円周方向の２点（Ｐ１、Ｐ２点）でなく、１点または３点以上で固定するようにしてもよい。【００２９】  無端状シート１下部の内側には、無端状シート１の幅よりわずか長い合成樹脂製や金属製のシート緊張ロール９が、図５に示すように挿入され、かつ支持されている。このシート緊張ロール９の両端には、吊り金具１０を介して金属製などのおもり１１が吊り下げられている。【００３０】  シート緊張ロール９は、外周面が円滑処理されており、無端状シート１との摩擦抵抗を小さく抑えてある。このため、無端状シート１は、このシート緊張ロール９によって前方向の無端状シート１ａと後方向の無端状シート１ｂとの間隔が狭い所定寸法に保持され、かつ回転部材３に対し緊張状態にて垂下保持される。【００３１】  なお、必要に応じて、前記シート緊張ロール９自体を重量のある金属などから形成し、吊り金具１０やおもり１１を省いてもよい。この場合には、簡単かつローコストの構成にて、無端状シート１ａ、１ｂを互いに所定間隔を保ったまま、緊張状態にて真っ直ぐに垂下させることができる。【００３２】  このように構成された無端状シートブラインドは、ガラス窓の窓枠上部に対し、回転部材３が回転自在となるように取り付けられる。窓枠に取り付けられた無端状シートブラインドは、前記のように無端状シート１をこれの上端内部に挿入された回転部材３によって支承した構成を持つ。【００３３】  このため、回転操作部材５を手動で牽引し、スプロケット４を介して回転部材３を回転させることで、無端状シート１を構成する前方向の無端状シート１ａと後方向の無端状シート１ｂとが互いに反対方向に移動する。なお、回転部材３は、モータ等の動力を用いて回転させることも可能である。【００３４】  回転部材３の回転操作は、正方向または逆方向に連続的に行えるため、各無端状シート１ａ、１ｂの互いに水平面内で対向する各透孔２を、完全一致から一部一致、さらに完全不一致まで連続的に調整することができる。【００３５】  従って、完全一致の場合には、ガラス窓を通して外来光を十分に室内に取り込むことができ、一部一致の場合には、外来光の取り込み量を適度に抑えることができ、完全不一致の場合には、外来光を完全に遮断することができる。【００３６】  なお、前記においては、外来光の室内への入射量を無段階にコントロールする場合について述べたが、各透孔２の一致、不一致をコントロールすることにより、室外からの外気の導入量を無段階に可変としたり、視界を遮ったりするなどの利用も当然可能である。【００３７】  また、一枚の無端状シート１を用いたことで、前方向および後方向の無端状シート１ａ、１ｂ上の水平面内で対向する各透孔の位置ずれの誤差を、少なく抑えることができる。【００���８】  無端状シート１は、回転部材３の外周面の少なくとも一箇所に固定されている。このため、回転部材３を複数回回転させることにより、各無端状シート１ａ、１ｂをまとめて回転部材３の外周に巻き上げることができる。
このため、視界の邪魔にならない位置まで、例えば無端状シート１ａ、１ｂを窓枠の上部に巻き上げた状態で保持することで、窓の略全体から外来光を最大限室内に取り込むことができる。【００３９】  前記無端状シート１は、色彩や模様を施したものとすることで、前記のような遮光・透光効果に加えて、インテリアデザイン的な美的効果を具現することもできる。また、無端状シート１に設けられる透孔２を、多数のスリットを並設したものとすることで、通風および遮光を兼ねるよしずとしての利用が可能となる。【００４０】  以上のように、複数の透孔が穿設された無端状シートと、無端状シートの内側に挿入されて、該無端状シートを支持しながら回転操作される回転部材とを備え、  回転部材の回転操作により、一定間隔をおいて相対移動する前後方向の各無端状シートにおける透孔の重なり量を可変としたことで、回転部材を正方向または逆方向に回動操作することにより、透孔を通過する光の量を変化させることができ、最適の遮光効果、透光効果を任意に得ることができる。
また、無端状シートを回転部材から外して簡単に洗濯でき、常にクリーンなシートブラインドとして窓を飾ることができる。
【図面の簡単な説明】
【００４１】
【図１】  本発明にかかる無端状シートブラインドの基本原理を示す構成図である。
【図２】  本発明の実施の一形態による無端状シートブラインドを示す斜視図である。
【図３】  図２に示す無端状シートブラインドの回転部材付近を拡大して示す側面図である。
【図４】  図３に示す回転部材が無端状シートを巻き取る状況を示す側面図である。
【図５】  図２に示す無端状シートブラインドのシート緊張ロール付近を示す斜視図である。
【符号の説明】
【００４２】１、１ａ、１ｂ  無端状シート
２  透孔
３  回転部材
４  スプロケット
５  回転操作部材
６  固定軸部
７  ローラ支持部材
８  ガイドロール
９  シート緊張ロール
１０  吊り金具
１１  おもり
【図１】
2006063768.tif 000003
【図３】
2006063768.tif 000004
【図２】
2006063768.tif 000005
【図４】
2006063768.tif 000006
【図５】
2006063768.tif 000007